(57)【要約】【課題】電気錠を施解錠する施解錠用キーと施、解錠用送信機が内蔵されたキータグを一体化した使用、および分離した使用の２通りの使用を可能とすることができる操作キーを提供することである。【解決手段】施解錠用キー１に設けられたキーヘッド２にタグ挿入孔４を形成する。電気錠の施、解錠用信号を送信する送信機１１が内蔵されたキータグ１０を上記タグ挿入孔４に着脱自在に取付け、キータグ１０の着脱によって施解錠用キー１とキータグ１０とが一体化された使用、および分離された使用の２通りの使用を可能とする。【選択図】　図１
2004027615.tif 000002
【特許請求の範囲】
【請求項１】
ドア錠の施解錠用キーと、電気機器の制御部に制御信号を出力するキーリーダヘッドに対して解錠用信号を発信する送信機が内蔵されたキータグとから成り、前記施解錠用キーに設けられたキーヘッドに対して前記キータグを着脱自在に取付けた操作キー。
【請求項２】
前記キータグを着脱自在とする手段が、前記キーヘッドにタグ挿入孔を形成し、そのタグ挿入孔にキータグを圧入する構成から成る請求項１に記載の操作キー。
【請求項３】
前記キータグを着脱自在とする手段が、前記キーヘッドにタグ挿入孔を設け、そのタグ挿入孔の内周とキータグの外周における一方に周方向の係合溝を形成し、他方にその係合溝に係合する係合突起を設けた構成から成る請求項１に記載の操作キー。
【請求項４】
前記キータグを着脱自在とする手段が、前記キーヘッドにねじ孔を形成し、そのねじ孔にキータグの外周に設けられた雄ねじをねじ係合する構成から成る請求項１に記載の操作キー。
【請求項５】
前記キータグを着脱自在とする手段が、前記キーヘッドの外周にガイド溝を設け、そのガイド溝の開口部に内向きのフランジを形成し、前記キータグの外周には前記キーヘッドの外周からガイド溝に抜き差しされる係合突条を設けた構成から成る請求項１に記載の操作キー。
【発明の詳細な説明】
【０００１】
【発明の属する技術分野】
この発明は、玄関のドアに設けられたドア錠等を施解錠する操作キーに関するものである。
【０００２】
【従来の技術】
集合住宅においては、防犯上のセキュリティシステムを構築するため、共用出入口にオートドアを設けると共に、各戸の玄関ドアにドア錠としての電気錠を取り付けて安全性を確保することが行なわれている。
【０００３】
このような集合住宅では、共用出入口の周りや各戸の玄関周りにキーリーダヘッドが設置され、そのキーリーダヘッドに送・受信機を近づけることで、オートドアを開放させたり、玄関ドアの電気錠を施解錠させるようにしている。
【０００４】
ここで、電気錠はシリンダ錠を有し、非常時には、そのシリンダ錠をキーによって施解錠し得るようにしている。
【０００５】
このため、集合住宅の居住者は、キーおよび送・受信機を携帯するようにしており、そのキーおよび送・受信機が別体であると、携帯に不便であるため、キーの樹脂成形されたヘッド部に送・受信機を埋め込んだキーヘッド内蔵型の操作キーが提案されている。
【０００６】
【発明が解決しようとする課題】
ところで、キーヘッド内蔵型の操作キーにおいては、キーと送・受信機とが一体型であるため、キーと送・受信機を例えば親と子に分けて使用するという使い方ができず、家族全員が操作キーを携帯しなければならないため、経済性に問題がある。
【０００７】
また、キーと、送・受信機とを分離して携帯することができないため、紛失した場合には電気錠を解錠することができなくなる。
【０００８】
この発明の課題は、電気錠等のドア錠の施解錠用キーと、少なくとも解錠用送信機を一体化した使用あるいは分離した使用の２通りの使用が可能な操作キーを提供することである。
【０００９】
【課題を解決するための手段】
上記の課題を解決するために、この発明においては、ドア錠の施解錠用キーと、電気機器の制御部に制御信号を出力するキーリーダヘッドに対して解錠用信号を発信する送信機が内蔵されたキータグとから成り、前記施解錠用キーに設けられたキーヘッドに対して前記キータグを着脱自在に取付けた構成を採用したのである。
【００１０】
ここで、ドア錠は、シリンダ錠であってもよく、あるいはシリンダ錠が組込まれた電気錠であってもよい。電気機器とは、オートドアや電気錠をいう。
【００１１】
前記キータグを着脱自在とする手段として、キーヘッドに形成したタグ挿入孔にキータグを圧入する方法、キーヘッドに形成されたねじ孔にキータグをねじ係合する方法、キーヘッドに形成されたタグ挿入孔の内周と、そのタグ挿入孔に挿入されたキータグの外周における一方に周方向の係合溝を形成し、他方にその係合溝に係合される係合突起を設けて、係合溝と係合突起の係合によってキータグを抜け止めする方法、さらに、キーヘッドの外周にガイド溝を形成し、キータグの外周に設けられた係合突条を上記ガイド溝に挿入する方法等を採用することができる。
【００１２】
上記のように、施解錠用キーのキーヘッドに対してキータグを着脱自在とすることによって、施解錠用キーとキータグとを一体化した使用、あるいは分離した使用の２通りの使用が可能であり、一体化した使用においては、嵩ばらず携帯に便利である。
【００１３】
一方、分離した使用においては、施解錠用キーとキータグの一方を紛失した場合でも他方によってドア錠を解錠することができるため、締め出しされることはなく、また、施解錠用キーを親に、キータグを子供に所持させるというような使い方もできる。
【００１４】
【発明の実施の形態】
以下、この発明の実施の携帯を図面に基づいて説明する。図１および図２に示すように、この発明に係る操作キーは、ドア錠としての電気錠に設けられたシリンダ錠を施解錠する施解錠用キー１と、前記電気錠の制御部に解錠用信号を出力するキーリーダヘッドからの送信を受信して、施、解錠用信号を発信する送・受信機１１が内蔵された合成樹脂製のキータグ１０とから成る。
【００１５】
施解錠用キー１は合成樹脂製のキーヘッド２を有し、そのキーヘッド２にキーホルダに係合される長孔３が設けられている。また、キーヘッド２には、その上端面で開口するタグ挿入孔４と、そのタグ挿入孔４の閉塞端からキーヘッド２の下端面で開口するピン挿入孔５とが形成されている。
【００１６】
キータグ１０は、送・受信機１１の送・受信機を後端としてタグ挿入孔４内に挿入され、その挿入時に前側となる前端部にはキーホルダに連結されるリング部１２が設けられている。また、キータグ１０の後端部外周には複数の突条１３が形成され、この突条１３はタグ挿入孔４内に圧入され、その圧入によってキータグ１０は抜け止めされる。また、キータグ１０は、ピン挿入孔５内に挿入されるピンＡによってタグ挿入孔４から押し出されるようになっている。
【００１７】
上記のように、キーヘッド２に形成されたタグ挿入孔４に対してキータグ１０を着脱自在とすることによって、タグ挿入孔４内にキータグ１０を圧入して、施解錠用キー１にキータグ１０を一体化した使用と、タグ挿入孔４からキータグ１０を抜き出して、施解錠用キー１とキータグ１０とを分離した２通りの使用を可能とすることができ、一体化した使用ではきわめてコンパクトな結合状態を得ることができるため、嵩ばらず、携帯にきわめて便利である。
【００１８】
一方、分離した使用においては、施解錠用キー１とキータグ１０の一方を紛失したとしても他方によって電気錠を解錠することができるため、締め出しされるおそれがない。また、施解錠用キー１とタグ１０を必要に応じて、親子、兄弟のように血縁関係者に別々に所持させる使用を可能とすることができる。
【００１９】
ここで、キータグ１０を色付きの合成樹脂で成形することによって、施解錠用キー１の識別を可能とすることができる。
【００２０】
図１および図２に示す実施の形態では、タグ挿入孔４に対してキータグ１０を圧入して、施解錠用キー１とキータグ１０とを着脱自在としたが、着脱自在とする手段はこれに限定されない。例えば、図３乃至図５に示す着脱機構を採用することができる。
【００２１】
図３に示す実施形態では、キーヘッド２に形成したタグ挿入孔４の内周に周方向の係合溝６を形成し、上記タグ挿入孔４内に挿入されるキータグ１０の外周には係合突起１４を設け、その係合突起１４を係合溝６に係合させてキータグ１０を抜け止めし、ピン挿入孔５に挿入されるピンＡによりキータグ１０を押圧して、係合溝６と係合突起１４の係合を解除させるようにしている。
【００２２】
なお、キータグ１０の外周に係合溝を形成し、タグ挿入孔４の内周に係合突起を設けるようにしてもよい。
【００２３】
図４に示す実施形態では、キーヘッド２にねじ孔７を形成し、そのねじ孔７にキータグ１０の外周に設けられた雄ねじ１５をねじ係合して、キータグ１０を着脱自在としている。１６はキータグ１０の回転操作用の係合溝を示す。
【００２４】
図５に示す実施形態では、キーヘッド２の一側部に上端面から下端面に向けてガイド溝８を形成し、そのガイド溝８の開口部に内向きのフランジ９を設け、一方、キータグ１０の外周には上記ガイド溝８に挿入される係合突条１７を形成し、その係合突条１７に上記フランジ９が挿入される係合溝１８を設け、ガイド溝８に対する係合突条１７の抜き差しによってキータグ１０を着脱自在としている。
【００２５】
なお、各実施形態では、キータグ１０に送・受信機１１を内蔵させるようにしたが、電池を電源とし、スイッチによって解錠用信号を発信する送信機のみを内蔵させたものであってもよい。
【００２６】
実施の形態では、玄関ドアに取付けられた電気錠を施、解錠する操作キーを示したが、集合住宅の共用出入口に設けられたオートドアを開閉し、かつ各戸の玄関ドアに設けられた電気錠あるいはシリンダ錠を施、解錠する操作キーであってもよい。また、車のドア錠を施、解錠する操作キーであってもよい。
【００２７】
【発明の効果】
以上のように、この発明においては、施解錠用キーに設けられたキーヘッドに対して解錠用信号を発信する送信機が内蔵されたキータグを着脱自在としたので、施解錠用キーとキータグとが一体化された使用あるいは分離された使用の２通りの使用を可能とすることができ、一体化された使用では嵩ばることのないコンパクトな結合状態であるため、携帯にきわめて便利である。
【００２８】
一方、分離した使用においては施解錠用キーとキータグの一方を紛失した場合に、他方で電気錠を解錠することができるため、締め出しされるおそれがない。また、施解錠用キーとキータグとを必要に応じて親子や兄弟に別々に所持させる使用を可能とすることができる。
【図面の簡単な説明】
【図１】この発明に係る操作キーの実施形態を示す縦断正面図
【図２】図１の分解斜視図
【図３】キータグの着脱機構の他の例を示す一部切欠正面図
【図４】キータグの着脱機構の他の例を示す一部切欠正面図
【図５】（Ｉ）はキータグの着脱機構のさらに他の例を示す一部切欠正面図、（ＩＩ）は分解斜視図
【符号の説明】
１　施解錠用キー
２　キーヘッド
４　タグ挿入孔
６　係合溝
７　ねじ孔
８　ガイド溝
９　フランジ
１０　キータグ
１１　送・受信機
１４　係合突起
１５　雄ねじ
１７　係合突条
１８　係合溝
【図１】
2004027615.tif 000003
【図２】
2004027615.tif 000004
【図３】
2004027615.tif 000005
【図４】
2004027615.tif 000006
【図５】
2004027615.tif 000007